(57)【要約】【課題】印刷注文枚数や注文金額に応じて、おまけの写真やクーポンが印刷可能な画像プリントシステムを提供する。【解決手段】保守時に、おまけ写真やクーポン付きレシート等のプレゼントの添付条件データや画像データを格納したプレゼントインストール用記憶媒体１１０１をメディア投入口１３に挿入することにより、プレゼント設定を容易に行えるようにし、プレゼント添付期間内にある所定枚数以上のプリント注文を行った場合に、絵葉書やレシピ等のおまけ写真や、クーポン付き等のレシートを印刷し、利用者に提供する。【選択図】図３
2008084281.tif 000002
【特許請求の範囲】
【請求項１】
記録媒体に記録された画像データを入力する画像入力手段と、
前記画像データを保持する保持手段と、
印刷条件に応じて前記保持手段に保持された画像データを印刷する印刷手段と、
前記印刷手段に画像データの印刷枚数、または、前記印刷手段による画像データ印刷にかかる料金が予め定めた値を超えた場合に、おまけの印刷を行うおまけ印刷手段と、
を有することを特徴とする画像出力装置。
【請求項２】
前記おまけ印刷手段は、予め画像出力装置に登録しておいた画像および/または文字データを印刷することを特徴とする請求項１記載の画像出力装置。
【請求項３】
前記画像および/または文字データは、広告を含む販促用データであることを特徴とする請求項１記載の画像出力装置。
【請求項４】
前記画像および/または文字データは、クーポンであることを特徴とする請求項１記載の画像出力装置。
【請求項５】
前記おまけ印刷手段は、前記おまけの印刷を写真画像として印刷することを特徴とする請求項１記載の画像出力装置。
【請求項６】
前記おまけ印刷手段は、前記おまけの印刷をレシートに印刷することを特徴とする請求項１記載の画像出力装置。
【請求項７】
前記おまけ印刷手段により印刷する画像および/または文字データを登録し、前記おまけ印刷手段の起動条件や起動期間を設定するおまけ設定手段を更に具備することを特徴とする請求項１記載の画像出力装置。
【請求項８】
コンピュータを請求項１記載の画像出力装置として機能させることを特徴とするコンピュータで読取り可能なプログラム。
【発明の詳細な説明】
【技術分野】
【０００１】
本発明は、デジタル写真を印刷する画像出力装置に関し、特に、印刷枚数、料金が所定の条件を満たした場合に、おまけの広告写真やクーポンを印刷する画像出力装置に関する。
【背景技術】
【０００２】
近年、顧客が持ち込んだ記録媒体に記録されているディジタルカメラの画像データをプリントしたり、既にプリントされた写真をスキャナで読み込みプリントしたり、あるいは、フレーム画像等を使った画像データの編集や合成を行ったうえでプリントしたりすることができる比較的小規模の画像プリントシステムが実用化されている。
【０００３】
一般に、カメラ店等に持ち込んだ画像データを、カメラ店等に依頼してプリントする場合、プリント枚数等に応じて景品を贈呈したり、次回にプリントする際に使える割引券等を発券したりする。
一方、店頭等に設置する画像プリントシステムでは、写真プリントの裏側等にくじ引きや占い、割引券、広告等を印刷する写真自販機（特許文献１）、ポイント等の顧客管理機能やポイントに応じてゲーム等のコンテンツを提供する機能、コンテンツの実施結果に応じて割引等のサービスを提供する写真自販機（特許文献２）、おまけ画像を印刷可能な写真自販機（特許文献３）が提案されている。
【特許文献１】特開２００２−２４５５４５号公報
【特許文献２】特開２００５−２０８８７０号公報
【特許文献３】特開２００５−２２９３５５号公報
【発明の開示】
【発明が解決しようとする課題】
【０００４】
しかしながら、特許文献１の写真自販機は、印画紙の裏側や印画シールの剥離シートに予めくじ引きや、割引券、広告等を印刷しておくものであり、自販機の設置者等が、それらの当選確率を設定することができないという問題がある。また、印画紙の裏側や剥離シートへの印刷であるため、顧客へのアピール度が低いという問題もある。
【０００５】
また、特許文献２の写真自販機は、顧客管理を行うためのデータベースやネットワーク機能、サーバ機能が必要となり、システムが大規模で複雑になるという問題がある。
さらに、特許文献３の写真自販機は、おまけ画像を小さく印画可能であるが、おまけの画像は、その場で撮影された複数の画像のうちの一部に限定され、おまけとしてのアピール度が低いという問題がある。
【０００６】
本発明は、このような問題に鑑みてなされたもので、その目的とするところは、印刷注文枚数や注文金額に応じて、おまけの写真やクーポンが印刷可能な画像プリントシステムを提供することである。
【課題を解決するための手段】
【０００７】
前述した課題を解決するための第１の発明は、記録媒体に記録された画像データを入力する画像入力手段と、前記画像データを保持する保持手段と、印刷条件に応じて前記保持手段に保持された画像データを印刷する印刷手段と、前記印刷手段に画像データの印刷枚数、または、前記印刷手段による画像データ印刷にかかる料金が予め定めた値を超えた場合に、おまけの印刷を行うおまけ印刷手段と、を有することを特徴とする画像出力装置である。
【０００８】
ここで、前記おまけ印刷手段は、予め画像出力装置に登録しておいた画像および/または文字データを、写真あるいはレシートとして印刷する。また、前記画像および/または文字データは、広告を含む販促用データやクーポンであることが望ましい。
【０００９】
さらに、前記画像出力装置は、前記おまけ印刷手段により印刷する画像および/または文字データを登録し、前記おまけ印刷手段の起動条件や起動期間を設定するおまけ設定手段を更に具備することが望ましい。
これにより、おまけ印刷手段により印刷するおまけ画像の登録や、おまけ印刷実施の有無、期間等を設定することが可能になり、おまけの印刷内容の変更ができ、適時に適切な期間、販促広告を含む写真やクーポンをおまけとして発行できるようになる。
【００１０】
第２の発明は、コンピュータを請求項１記載の画像出力装置として機能させることを特徴とするコンピュータで読取り可能なプログラムである。
【発明を実施するための最良の形態】
【００１１】
以下、図面に基づいて本発明の好適な実施形態について詳細に説明する。
図１は、画像出力装置１の外観斜視図、図２は、図１の画像出力装置１のハードウエア構成図である。
【００１２】
図１に示すように、画像出力装置１の上部正面には、タッチパネル付きの液晶ディスプレイ等のディスプレイ画面１１が配置されている。タッチパネル付きディスプレイ１１は、操作の案内や操作の状況、読み込んだ画像データのサムネイル画像表示等を表示する表示手段としての機能を持つ。
【００１３】
タッチパネル付きディスプレイ１１の下部には、メディア投入口１３が設けられる。メディア投入口１３は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、複数の挿入口が１箇所にまとめて配置されている。
また、画像出力装置１の筐体内には、上記の各記録媒体の挿入口に対応して、それぞれの媒体の読取・書込み装置の本体が設置されている。各挿入口には、料金の徴収が完了するまで記録媒体を取り出せないようにシャッター（図示しない）を備えてもよい。
【００１４】
画像出力装置１の下段部には、料金投入口（硬貨投入口１５、紙幣挿入口１７）、つり銭返却口１９、レシート取出口２７、プリント物取出口２１、メンテナンスキー２３、ドア開閉キー２５等がそれぞれ配置されている。
【００１５】
料金投入口（１５、１７）、つり銭返却口１９、レシート取出口２７は、課金手段として機能する。
利用者は、硬貨投入口１５に硬貨を投入したり、紙幣挿入口１７に紙幣を挿入することにより料金を支払う。釣銭がある場合にはつり銭返却口１９から放出される。
また、料金徴収後、徴収金額や注文内容等が印刷されたレシートがレシート取出口２７から放出される。画像出力装置１の筐体内には、レシート取出口２７に対応してレシート印刷用プリンタが設けられている。
【００１６】
プリント物取出口２１からは印刷済みのプリント物が放出される。図１では、プリント物取出口２１が３つあるが、通常、画像出力装置１の筐体内には、複数枚の画像プリントを同時に行えるよう複数のプリンタ本体（図示しない）がプリント物取出口２１につながる位置に設置されており、この場合、３台のプリンタに対応して３つのプリント物取出口２１を備えている。
【００１７】
利用者は、タッチパネル付きディスプレイ１１に設けられたタッチパネルにより画像の選択やプリントの実行を指示し、指示に従ってプリンタ本体によって印刷され、プリント物取出口２１から放出されるプリント物を受け取る。
【００１８】
メンテナンスキー２３は、利用者が画像出力装置１を利用可能な運転モードと、管理者が画像出力装置１のメンテナンスや設定、おまけの設定等を行う管理モードを切り替えるキーである。
【００１９】
また、画像出力装置１の筐体内には、図示しないが、画像出力装置１の各構成部分を制御するための制御部を含むパソコンや、電圧の変換を行う電源ボックス、停電時に制御部のＣＰＵやハードディスク等の破損を防ぐ無停電電源装置等が設けられる。
【００２０】
次に、図２を参照しながら、画像出力装置１のハードウエア構成について説明する。
画像出力装置１は、制御部２０１、記憶部２０３、入出力部２０５（ＣＤ−ＲＯＭドライブ装置、キーボード、マウス等）、各種メディア読取部２０７、シャッター２０９、モニタ２１１（タッチパネル付き）、コインメック２１３、ビルバリ２１５、レシートジャーナル処理部２１７、プリンタ２１９等がバス２２１を介して接続される。
【００２１】
制御部２０１は、ＣＰＵ、ＲＡＭ、ＲＯＭ等で構成され、記憶部２０３に格納されたプログラムに従って、バス２２１を介して接続された各装置を駆動制御する。
記憶部２０３には、各構成部分を駆動制御するプログラム、例えば、後述する画像入力プログラム、シャッターの開閉制御プログラム、課金処理プログラム、プリンタ制御用プログラム、おまけ印刷プログラム、プレゼント設定プログラム等のプログラムや、おまけの素材データ等が格納されている。
【００２２】
これらのプログラム・コードは、制御部２０１により必要に応じて読み出され、ＲＡＭに移され、ＣＰＵに読み出されて各種機能として実行される。
【００２３】
入出力部２０５（ＣＤ−ＲＯＭドライブ装置、キーボード、マウス等）は、制御部２０１のＲＯＭや記憶部２０３に格納されているプログラムや情報を更新したり、画像出力装置１の動作等の設定を行う画像出力装置１のメンテナンス時に用いられる。メンテナンスキー２３により管理モードに切り替えて、入出力部２０５にプログラム更新用のＣＤ−ＲＯＭを挿入し、データの書き換えを行ったり、設定データを入力することによりメンテナンスを実行する。
【００２４】
各種メディア読取書込部２０７は画像入力機能の役割を果たす。シャッター２０９は、各記録媒体挿入口に設けられ、記録媒体の挿入口を開閉し、読取処理の最中や、課金処理が完了するまで、記録媒体を取り出せないようにする。
【００２５】
利用者は、モニタ２１１に表示された操作案内に従って、モニタ２１１に設置されたタッチパネルに触れることにより、画像入力時の画像選択や、プリント指示、プリント物出力までの一連の操作を行える。
【００２６】
コインメック２１３、ビルバリ２１５、レシートジャーナル処理部２１７は、課金機能の役割を果たす。プリンタ２１９は、利用者により選択され、プリント指示が行われた画像データの印刷出力処理を行う。
【００２７】
次に、図３、図４、図５、図６に沿って、画像出力装置１の動作について説明する。
図３〈ａ〉は、画像出力装置１の動作の流れを示すフローチャート、図４〜図６は、画像出力装置１のモニタ２１１（図１のタッチパネル付きディスプレイ１１）の表示例である。
【００２８】
制御部２０１は、まず、モニタ２１１に、メニュー画面を例えば図４（ａ）のように表示し、利用者が画像出力装置１に挿入するメディアの種類を入力させる（ステップ３０１）。
メニュー画面４０１には、各種のメディアが表示されており、利用者は、自分が挿入するメディアの部分をタッチすることにより、メディアの種類を入力できる。
【００２９】
利用者は、メディアの種類を入力した後、メディア投入口１３の適切な挿入口にメディアを挿入する。制御部２０１は、挿入されたメディアの種類に対応するメディア読取部２０７を駆動し、メディアに記憶されている画像情報を読み取る（ステップ３０２）。取得された画像データは、記憶部２０３に格納される。
【００３０】
次に、制御部２０１は、取得された画像データのサムネイル画像をモニタ２１１に表示し、利用者にプリントする画像の選択と、プリント枚数の設定を行わせる（ステップ３０３）。
図４（ｂ）は、サムネイル画面４１１の例である。利用者が挿入したメディアから取得した画像データのサムネイル画像がモニタ２１１上に表示される。
利用者は、プリントしたい画像のプリント枚数（注文枚数）を、例えば、「＋」あるいは「−」の部分のタッチパネルに触れることにより設定する。利用者により設定された枚数が、注文枚数として表示される。
【００３１】
サムネイル画面４１１には、例えば、サムネイル画像を拡大したいときに使用する「拡大」ボタンや、プリント枚数設定完了後に押す「お支払いへ」等のボタンが設けられる。これらのタッチパネル・ボタンに触れることにより、対応する処理が実行される。
【００３２】
利用者がプリント枚数の設定を完了すると（「お支払いへ」のボタンを押す）、通常、課金処理が実行されるが、本実施の形態では、まず、おまけ処理を実施するか否かの判定が行われる。
すなわち、まず、制御部２０１は、おまけ処理を行うか否かを判断する（ステップ３０４）。この判断は、後述するおまけ処理の有無（ＯＮ／ＯＦＦ）の情報、および、おまけ添付の条件の情報を参照して行う。おまけ処理の有無（ＯＮ／ＯＦＦ）の情報、および、おまけ添付の条件の情報は、予め記憶部２０３に制御データとして格納しておく。
おまけ添付の条件の情報は、例えば、プリント枚数の合計数やプリント料金に設けた所定の値である。例えば、所定のプリント枚数あるいはプリント料金を超えた場合に、おまけを添付する条件を満たすものとする。
【００３３】
おまけ処理の有無の情報がＯＮであり、かつ、おまけ添付の条件を満たす場合には、おまけ処理を行うと判断する。
一方、おまけ処理の有無の情報がＯＮであり、かつ、おまけ添付の条件を満たさない場合、および、おまけ処理の有無の情報がＯＦＦの場合には、おまけ処理を行わない。
おまけ処理を行わない場合（ステップ３０４のＮｏ）、制御部２０１は、従来の画像処理装置と同様に、ステップ３０７以降の課金処理および印刷処理を実行する。
【００３４】
一方、おまけ処理を行う場合（ステップ３０４のＹｅｓ）、制御部２０１は、おまけの要/不要を利用者に選択させるかを判断する（ステップ３０５）。この判断も、おまけ添付の条件の１情報として予め記憶部２０３の制御データとして格納しておく。
【００３５】
おまけ処理を利用者に選択させる場合（ステップ３０５のＹｅｓ）には、モニタ２１１に、図５（ａ）に示すようなおまけ要・不要選択画面５０１を表示し、利用者に、おまけの要/不要を判断させる（ステップ３０６）。
おまけ要・不要選択画面５０１には、おまけの説明等のおまけの内容例５１１と、おまけ選択ボタン５１３が表示される。同図では、おまけ選択ボタン５１３で「はい」を選択すると、おまけ例５１１に示したような「ヘルシーメニューレシピ」の画像（写真）がおまけとしてもらえることを示している。
【００３６】
利用者が、おまけ選択ボタン５１３で「いいえ」を押した場合（ステップ３０６の不要）、制御部２０１は、おまけ処理は行わずに、ステップ３０７以降の課金処理および印刷処理を実行し、処理を終了する。
すなわち、制御部２０１は、プリント枚数の合計、合計金額等を算出し、モニタ２１１に図５（ｂ）に示すような課金処理画面５２１を表示し、利用者に代金の投入を促す（ステップ３０７）。
【００３７】
課金処理画面５２１には、定価説明５３３や、注文枚数表示部５３５、料金表示部５３７、投入金額表示部５３９、つり銭額表示部５４１、プリント時間表示部５４３、レシート出力ボタン５４５、料金投入場所説明図５３１等が表示される。
利用者が、料金表示部５３７に表示された料金を硬貨投入口１５や紙幣挿入口１７から投入し、投入金額が合計金額を上回ると、制御部２０１は、プリンタ２１９を制御し、プリント処理を開始し、印刷が完了した印刷物を出力する（ステップ３０８）。
【００３８】
通常、画像出力装置１内部には複数のプリンタが設けられ、プリント時間短縮のため、複数のプリンタに仕事を分散して印刷処理が行われる。プリント完了までにかかる時間は、プリント時間表示部５４３に表示される。
プリントが完了するまでの時間には、制御部２０１は、例えば、図６に示すようなプリント待ち画面６２１等を表示する。
プリント待ち画面６２１は、例えば、ゲーム・広告画面６３１や、プリント時間表示部６３３、レシート出力ボタン６３５等からなる。ゲーム・広告画面６３１には、おまけプリント等の広告や、ゲームが表示され、利用者は、プリント完了までの待ち時間をつぶすことができる。
課金処理画面５２１やプリント待ち画面６２１のレシート出力ボタン５４５が利用者により押されると、制御部２０１はレシートジャーナル処理部２１７を起動し、レシートを印刷して出力する。
【００３９】
ステップ３０５でおまけの要不要を利用者に選択させない場合（Ｎｏ）、および、利用者がおまけを必要と選択した場合（ステップ３０６のＹｅｓ）には、上記の課金処理および印刷処理に加えておまけの処理が実行される（ステップ３１７〜ステップ３２０）。
【００４０】
課金処理（ステップ３１７）は、ステップ３０７と同様である。すなわち、制御部２０１は、図５（ｂ）に示すような課金処理画面５２１を表示し、利用者に料金の投入を促す。
利用者が合計金額を満たす料金を硬貨投入口１５や紙幣挿入口１７から挿入すると、制御部２０１は、まず、利用者が注文したプリント物の印刷処理を実行する（ステップ３１８）。
制御部２０１は、プリンタ２１９を制御し、プリント処理を開始し、印刷が完了した印刷物を出力する。プリントが完了するまでの時間には、制御部２０１は、例えば、図６に示すようなプリント待ち画面６２１等を表示する。
【００４１】
利用者の注文によるプリント物の印刷が完了したら、おまけの印刷を行う（ステップ３１９のおまけ処理）。
図３（ｂ）は、おまけ処理の流れを示すフローチャート、図７は、おまけの例を示す図である。
【００４２】
おまけ処理では、まず、おまけの種類を判断する（ステップ３３１）。この判断は、後述するおまけの種類の情報により行う。このおまけの種類の情報は、予め記憶部２０３に制御データとして格納しておく。
【００４３】
おまけの種類は、例えば、写真あるいはレシートである。
写真は、例えば、前述のヘルシーメニューレシピ（図７（ａ）のおまけ写真例７０１）、絵葉書のような写真である。
このようなおまけとしては、利用者の役に立ち、かつ、おまけを出す側にもメリットのあるものが好ましい。例えば、ある調味料を使った料理のレシピと広告をおまけ写真とすることが考えられる。その調味料のメーカ等とのタイアップによりおまけ写真を作成してもよい。
ステップ３３１でおまけの種類が写真と判断された場合には、制御部２０１は、おまけ写真をプリンタ２１９でプリントする（ステップ３３２）。
【００４４】
一方、図７（ｂ）は、おまけレシートの例である。レシートとともに、画像出力装置１を設置した店舗等で使用できるクーポンや、バーコード、ＱＲコード等が印刷される。
ステップ３３１でおまけの種類がレシートと判断された場合には、制御部２０１は、レシートジャーナル処理部２１７を制御し、レシートとともにクーポン等のおまけを印刷する（ステップ３３５）。
おまけレシートの場合には、おまけ添付の条件を満たす利用者にはおまけの要/不要の選択（ステップ３０６）を経ずに、また、課金処理画面５２１やプリント待ち画面６２１のレシート出力ボタン（５４５、６３５）を利用者が押さなくてもおまけ添付するようにしてもよい。
【００４５】
ステップ３３２あるいはステップ３３５で印刷されたおまけ写真やおまけ付きレシートは、それぞれ、プリント物取出口２１、レシート取出口２７から出力される（ステップ３２０）。
【００４６】
ここで、印刷されるおまけ写真やおまけ付きレシートに関するデータは、予め、記憶部２０３に格納しておく。これについては、後述する。
以上の処理により、一利用者による画像出力装置１の利用が完了する（ステップ３０１〜３０８、３１７〜３２０）。
次に、システム稼動を終了するか否かを判断し（ステップ３２１）、画像出力装置１の稼動を継続する場合には（Ｎｏ）、ステップ３０１に戻り、次の利用者の利用まで待機する。一方、稼動を終了する場合（Ｙｅｓ）には、画像出力装置
１の処理を終了する。
【００４７】
次に、以上に説明したおまけ処理の設定方法について説明する。
おまけ処理の設定は、画像出力装置１の保守処理の一環として行えばよい。すなわち、画像出力装置１の設置店舗の従業員あるいは、画像出力装置１の保守担当者等がおまけ処理の設定を行う。
【００４８】
まず、画像出力装置１のメンテナンスキー２３にキーを差込み、回すことで保守画面に切り替える。
図８（ａ）は、保守メインメニューの説明図である。制御部２０１は、同図のような保守画面１（８０１）をタッチパネル付きモニタ２１１に表示する。
保守メインメニューには、価格設定、環境設定、ハード保守・ログ参照、統計情報、パスワード設定、システム更新等メニューが設けられており、それぞれの保守を選択するためのボタン１〜６（８０５〜８１５）が設けられている。
【００４９】
価格設定は、プリント料金の価格設定等を行う。環境設定は、おまけ処理の設定を含む画像出力装置１の動作環境設定を行う。ハード保守・ログ参照は、各種ハードウエアのチェックや、顧客ログや障害ログの保存等を行う。統計情報は、ログ情報等の統計情報の算出や出力を行う。パスワード設定は、保守者のパスワードの設定処理を行う。システム更新は、画像出力装置１のソフトウエアを更新する。
保守処理を終える場合、保守者は、保守終了ボタン８０３を選択する。
【００５０】
おまけ処理の設定を行う場合には、保守者は環境設定のボタン８０７を選択すればよい。このボタン８０７が選択されると、制御部２０１は、モニタ２１１に、図８（ｂ）に示すような環境設定についてのメニュー（保守画面２）８２１を表示する。
環境設定メニューには、システム設定、メニュー設定、プリント設定、プレゼント設定等があり、それぞれを選択するためのボタン１〜４（８２５〜８３１）が設けられている。また、「戻る」のボタン８２３を押すことにより、保守メインメニュー画面８０１に戻すことができる。
【００５１】
おまけ処理の設定を行う場合には、プレゼント設定のボタン８３１を選択すればよい。このボタン８３１が選択されると、制御部２０１は、モニタ２１１に、図９に示すようなプレゼント設定メニュー（保守画面３）９０１を表示する。
図１０は、おまけ処理の設定（プレゼント設定処理）の流れを示すフローチャートである。
まず、制御部２０１は、プレゼントメニューを表示する（ステップ１００１）。
【００５２】
おまけ処理の設定には、図１１に示すような、おまけ印刷データやおまけの有無（ＯＮ／ＯＦＦ）の情報、おまけ添付の条件等を格納したプレゼントインストール用記憶媒体１１０１を使用する。プレゼントインストール用記憶媒体１１０１はＣＤ/Ｒ等の記憶媒体で供給され、その中に前述のデータを前持って定めたフォーマットで格納しておけばよい。
このプレゼントインストール用記憶媒体１１０１は、画像出力装置１のメーカや保守業者、タイアップ商品メーカ等が作成する。画像出力装置１の設置店舗の従業員や保守要員（以後、おまけ処理設定者とする）は、このプレゼントインストール用記憶媒体１１０１を画像出力装置１に読み込むことにより容易におまけ処理の設定を行える。
【００５３】
図１１は、プレゼントインストール用記憶媒体１１０１に格納するデータ例の説明図である。
格納データは、プレゼント設定用データ・ファイル１１１１、無料プリント画像データ・ファイル１１１３、ディスプレイ表示画面パーツ・ファイル１１１５等からなる。
プレゼント設定用データ・ファイル１１１１は、プレゼント（おまけ）の有無（ＯＮ／ＯＦＦ）やおまけ添付の条件等のおまけ処理用の制御データを格納したファイルである。
また、無料プリント画像データ・ファイル１１１３は、図７に示したようなおまけ写真７０１の画像データを格納するファイルである。
さらに、ディスプレイ表示画面パーツ・ファイル１１１５は、おまけ処理に伴いモニタ２１１に表示される表示画面（例えば、図５〈ａ〉や図６）等の表示用データを格納するファイルである。
【００５４】
プレゼント設定用データ・ファイル１１１１には、プレゼント（おまけ）の有無（ＯＮ/ＯＦＦ）１１２１、プレゼント開始日時１１２３、プレゼント終了日時１１２５、おまけの種類１１２７、おまけ添付の条件１１２９、おまけ付きレシートの印刷データ１１３１等のデータが格納される。
プレゼント（おまけ）の有無（ＯＮ/ＯＦＦ）は、ＯＮは、プレゼント実施期間（プレゼント開始日時１１２３からプレゼント終了日時１１２５）の期間内だけプレゼント（おまけ）処理を行うことを意味し、ＯＦＦは、おまけ処理を行わないことを意味する。
おまけの種類１１２７は、おまけが写真かレシートかを示す情報である。
また、おまけ添付の条件１１２９は、おまけ添付の条件となるプリント枚数閾値あるいはプリント金額閾値のデータである。
レシートへの印刷文字列データ１１３１は、おまけ付きレシートを発行する場合に、レシートに印刷するクーポンやバーコード等のデータである。
【００５５】
まず、プレゼント設定処理では、おまけ処理設定者により、プレゼント設定メニュー９０１のプレゼントインストール・ボタン９１３が押されたか否か判定する（ステップ１００２）。新たにおまけ処理を設定する場合には、おまけ処理設定者は、このボタン９１３を押す。押されない場合（ステップ１００２のＮｏ）は、既に、プレゼント設定がインストールされているか否かを判定する（ステップ１００３）。インストールされていない場合は（Ｎｏ）、ボタン９１３が押されるまで待機する。
すでにインストールされている場合には〈ステップ１００３のＹｅｓ〉、ステップ１０１１に飛ぶ。この処理については後述する。
【００５６】
プレゼントインストール・ボタン９１３が押されたら（ステップ１００２のＹｅｓ）、プレゼントインストール用記憶媒体１１０１が挿入されるまで待機する（ステップ１００４のＮｏ）。
プレゼントインストール用記憶媒体１１０１は、画像出力装置１のメディア投入口１３に差し込めばよい。
【００５７】
プレゼントインストール用記憶媒体１１０１が挿入されたら（ステップ１００４のＹｅｓ）、プレゼントインストール用記憶媒体のデータを読み込む（ステップ１００５）。
そして、まず、プレゼント設定用データ・ファイル１１１１のデータを記憶部２０３の制御データ領域に格納する（ステップ１００６）。これにより、おまけの有無の情報（ＯＮ/ＯＦＦ）１１２１（図３（ａ）のステップ３０４で使用）、プレゼント開始日時１１２３、プレゼント終了日時１１２５、おまけの種類の情報１１２７（図３（ｂ）のステップ３３１で使用）、おまけ添付の条件１１２９（ステップ３０４、３０５で使用）、レシートへの印刷文字列データ１１３１等が設定される。これらのデータは、図３に示したおまけ処理の過程で使用される。
【００５８】
次に、前回までに使用したおまけ処理画像データを記憶部２０３の画像データ領域から削除する（ステップ１００７）。そして、新たに挿入したプレゼントインストール用記憶媒体１１０１内の無料プリント画像データ・ファイル１１１３をその領域に格納する（ステップ１００８）。
おまけ処理の写真印刷（ステップ３３２）の際にこの画像データを読み出し、プリンタ２１９で印刷することによりおまけ写真７０１が印刷される。
【００５９】
次に、ディスプレイ用表示画面パーツデータ・ファイル１１１５を記憶部２０３の制御データ領域に格納する（ステップ１００９）。これは、例えば、図５のおまけ要・不要選択画面５０１等のモニタ２１１への出力表示画面のデータである。
【００６０】
プレゼントインストール用記憶媒体１１０１内のデータが画像出力装置１の記憶部２０３に格納されると、その内容がプレゼント設定メニュー９０１に反映されて表示される（ステップ１０１０）。
すなわち、新たなプレゼント開始日時１１２３が開始日時表示部９１７に、プレゼント終了日時１１２５が終了日時表示部９１９に表示されるとともに、無料プリントされる写真画像データ・ファイル１１１３のファイル名がファイル名表示部９２１に表示される。
【００６１】
以上の処理により、新たなプレゼント設定が可能であるが、プレゼントの有無（ＯＮ/ＯＦＦ）や開始/終了日時は、おまけ処理設定者が手動により変更することも可能である（ステップ１０１１）。
すなわち、プレゼント処理を行わないようにする場合には、ボタン９１５によりプレゼントＯＮ/ＯＦＦ表示をＯＦＦに切り替えればよい。また、数字入力キー群９２３を使用して、プレゼント開始日時やプレゼント終了日時を変更することも可能である。
【００６２】
すでにインストール済みのプレゼント設定（ステップ１００３のＹｅｓ）の場合には、インストール済みの内容がプレゼント設定メニュー９０１に表示され、これをステップ１０１１でおまけ処理設定者が変更することができる。
【００６３】
以上の処理によりプレゼント設定処理が完了し、その後、図３に示したような処理の流れにより、プレゼント印刷処理が可能になる。
【００６４】
以上のように、ＣＤ/Ｒ等によりプレゼント設定処理を簡易化することにより、おまけ印刷の内容を商品広告期間によって切り替える等の多様なプレゼント印刷が簡単に行えるようになる。
【００６５】
尚、本発明は、前述した実施の形態に限定されるものではなく、種々の改変が可能であり、それらも、本発明の技術範囲に含まれる。例えば、本実施の形態では、プレゼント設定をＣＤ/Ｒ等の記憶媒体を使用して簡易化したが、画像出力装置１がインターネット等のネットワークに接続されている場合には、同様のプレゼント設定用ファイルをネットワークを介して画像出力装置１に取り込むようにしてもよい。
また、本実施の形態では、おまけの種類は写真あるいはレシートの１種類だったが、複数のおまけ写真データを用意しておき、期間ごとに切り替えたり、客ごとに切り替えたり、ランダムに選択するようにしてもよい。
【図面の簡単な説明】
【００６６】
【図１】本実施形態に係る画像出力装置１の外観斜視図
【図２】画像出力装置１のハードウエア構成図
【図３】画像出力装置１の処理の流れを示すフローチャート
【図４】画像出力装置１のモニタ２１１表示の説明図（メニュー画面４０１およびサムネイル画面４１１）
【図５】画像出力装置１のモニタ２１１表示の説明図（おまけ要・不要選択画面５０１および課金処理画面５２１）
【図６】画像出力装置１のモニタ２１１表示の説明図（プリント待ち画面６２１）
【図７】おまけ印刷例の説明図
【図８】保守画面の説明図
【図９】プレゼント設定メニューの説明図
【図１０】プレゼント設定処理の流れを示すフローチャート
【図１１】プレゼントインストール用記憶媒体１１０１の説明図
【符号の説明】
【００６７】
１………画像出力装置
１１………タッチパネル付きディスプレイ
１３………メディア投入口
２０１………制御部
２０３………記憶部
２１１………モニタ
２１９………プリンタ
１１０１………プレゼントインストール用記憶媒体
【図１】
2008084281.tif 000003
【図２】
2008084281.tif 000004
【図３】
2008084281.tif 000005
【図４】
2008084281.tif 000006
【図５】
2008084281.tif 000007
【図６】
2008084281.tif 000008
【図７】
2008084281.tif 000009
【図８】
2008084281.tif 000010
【図９】
2008084281.tif 000011
【図１０】
2008084281.tif 000012
【図１１】
2008084281.tif 000013